(57)【特許請求の範囲】
【請求項１】
同期信号送信方法であって、
同期チャネルの周波数間隔に基づいてターゲット周波数リソースの周波数領域位置を決定するステップであって、同期チャネルの前記周波数間隔が、物理リソースブロックのあらかじめ定義された周波数帯域幅の2m倍であり、mがあらかじめ設定された負でない整数である、ステップと、
前記ターゲット周波数リソースを使用することによって同期信号を送信するステップと、
を含み、
前記ターゲット周波数リソースの前記周波数領域位置が、同期チャネルの前記周波数間隔およびあらかじめ設定された周波数領域位置オフセットに基づいて決定され、
前記ターゲット周波数リソースの前記周波数領域位置が、以下の関係式、
p=offset+n*frequency_interval
を満たし、pが前記ターゲット周波数リソースの前記周波数領域位置であり、offsetが前記周波数領域位置オフセットであり、nがあらかじめ設定された整数であり、frequency_intervalが同期チャネルの前記周波数間隔であり、
nが、システムによって使用される周波数帯域に基づいて決定される整数セット内の整数である、同期信号送信方法。
【請求項２】
前記システムによって使用される前記周波数帯域と前記周波数領域位置オフセットおよび／または同期チャネルの前記周波数間隔との間に対応関係があり、mの値範囲は前記システムによって使用される前記周波数帯域に基づいて決定される、請求項1に記載の方法。
【請求項３】
物理リソースブロックの前記あらかじめ定義された周波数帯域幅が、以下の関係式、
【数１】
0006921947.tif 000011
を満たし、FRBが物理リソースブロックの前記あらかじめ定義された周波数帯域幅であり、SCSが、物理リソースブロックのあらかじめ定義されたサブキャリア間隔であり、
【数２】
0006921947.tif 000012
が、物理リソースブロックのあらかじめ定義されたサブキャリア量である、請求項1または2に記載の方法。
【請求項４】
物理リソースブロックの前記あらかじめ定義されたサブキャリア間隔が15kHzであり、物理リソースブロックの前記あらかじめ定義されたサブキャリア量が12または16である、請求項3に記載の方法。
【請求項５】
前記ターゲット周波数リソースの前記周波数領域位置が、前記ターゲット周波数リソースの中心周波数の周波数領域位置、前記ターゲット周波数リソースの開始周波数の周波数領域位置、または前記ターゲット周波数リソースの終了周波数の周波数領域位置を含む、請求項1から4のいずれか一項に記載の方法。
【請求項６】
物理リソースブロックの前記あらかじめ定義された周波数帯域幅が180kHzである、請求項1から5のいずれか一項に記載の方法。
【請求項７】
同期信号受信方法であって、
同期チャネルの周波数間隔に基づいてターゲット周波数リソースの周波数領域位置を決定するステップであって、同期チャネルの前記周波数間隔が、物理リソースブロックのあらかじめ定義された周波数帯域幅の2m倍であり、mがあらかじめ設定された負でない整数である、ステップと、
前記ターゲット周波数リソースに基づいて、基地局から同期信号を受信するステップと、
を含み、
前記ターゲット周波数リソースの前記周波数領域位置が、同期チャネルの前記周波数間隔およびあらかじめ設定された周波数領域位置オフセットに基づいて決定され、
前記ターゲット周波数リソースの前記周波数領域位置が、以下の関係式、
p=offset+n*frequency_interval
を満たし、pが前記ターゲット周波数リソースの前記周波数領域位置であり、offsetが前記周波数領域位置オフセットであり、nがあらかじめ設定された整数であり、frequency_intervalが同期チャネルの前記周波数間隔であり、
nが、システムによって使用される周波数帯域に基づいて決定される整数セット内の整数である、同期信号受信方法。
【請求項８】
前記システムによって使用される前記周波数帯域と前記周波数領域位置オフセットおよび／または同期チャネルの前記周波数間隔との間に対応関係があり、mの値範囲は前記システムによって使用される前記周波数帯域に基づいて決定される、請求項7に記載の方法。
【請求項９】
物理リソースブロックの前記あらかじめ定義された周波数帯域幅が、以下の関係式、
【数３】
0006921947.tif 000013
を満たし、FRBが物理リソースブロックの前記あらかじめ定義された周波数帯域幅であり、SCSが、物理リソースブロックのあらかじめ定義されたサブキャリア間隔であり、
【数４】
0006921947.tif 000014
が、物理リソースブロックのあらかじめ定義されたサブキャリア量である、請求項7または8に記載の方法。
【請求項１０】
物理リソースブロックの前記あらかじめ定義されたサブキャリア間隔が15kHzであり、物理リソースブロックの前記あらかじめ定義されたサブキャリア量が12または16である、請求項9に記載の方法。
【請求項１１】
前記ターゲット周波数リソースの前記周波数領域位置が、前記ターゲット周波数リソースの中心周波数の周波数領域位置、前記ターゲット周波数リソースの開始周波数の周波数領域位置、または前記ターゲット周波数リソースの終了周波数の周波数領域位置を含む、請求項7から10のいずれか一項に記載の方法。
【請求項１２】
物理リソースブロックの前記あらかじめ定義された周波数帯域幅が180kHzである、請求項7から11のいずれか一項に記載の方法。
【請求項１３】
同期信号送信装置であって、
ターゲット周波数リソースを決定するように構成された処理ユニットであって、前記ターゲット周波数リソースの周波数領域位置が同期チャネルの周波数間隔に基づいて決定され、同期チャネルの前記周波数間隔が、物理リソースブロックのあらかじめ定義された周波数帯域幅の2m倍であり、mがあらかじめ設定された負でない整数である、処理ユニットと、
前記処理ユニットによって決定された前記ターゲット周波数リソースを使用することによって同期信号を送信するように構成された送信ユニットと、
を含み、
前記ターゲット周波数リソースの前記周波数領域位置が、同期チャネルの前記周波数間隔およびあらかじめ設定された周波数領域位置オフセットに基づいて決定され、
前記ターゲット周波数リソースの前記周波数領域位置が、以下の関係式、
p=offset+n*frequency_interval
を満たし、pが前記ターゲット周波数リソースの前記周波数領域位置であり、offsetが前記周波数領域位置オフセットであり、nがあらかじめ設定された整数であり、frequency_intervalが同期チャネルの前記周波数間隔であり、
nが、システムによって使用される周波数帯域に基づいて決定される整数セット内の整数である、同期信号送信装置。
【請求項１４】
前記システムによって使用される前記周波数帯域と前記周波数領域位置オフセットおよび／または同期チャネルの前記周波数間隔との間に対応関係があり、mの値範囲は前記システムによって使用される前記周波数帯域に基づいて決定される、請求項13に記載の装置。
【請求項１５】
物理リソースブロックの前記あらかじめ定義された周波数帯域幅が、以下の関係式、
【数５】
0006921947.tif 000015
を満たし、FRBが物理リソースブロックの前記あらかじめ定義された周波数帯域幅であり、SCSが、物理リソースブロックのあらかじめ定義されたサブキャリア間隔であり、
【数６】
0006921947.tif 000016
が、物理リソースブロックのあらかじめ定義されたサブキャリア量である、請求項13または14に記載の装置。
【請求項１６】
物理リソースブロックの前記あらかじめ定義されたサブキャリア間隔が15kHzであり、物理リソースブロックの前記あらかじめ定義されたサブキャリア量が12または16である、請求項15に記載の装置。
【請求項１７】
前記ターゲット周波数リソースの前記周波数領域位置が、前記ターゲット周波数リソースの中心周波数の周波数領域位置、前記ターゲット周波数リソースの開始周波数の周波数領域位置、または前記ターゲット周波数リソースの終了周波数の周波数領域位置を含む、請求項13から16のいずれか一項に記載の装置。
【請求項１８】
物理リソースブロックの前記あらかじめ定義された周波数帯域幅が180kHzである、請求項13から17のいずれか一項に記載の装置。
【請求項１９】
同期信号受信装置であって、
ターゲット周波数リソースを取得するように構成された処理ユニットであって、前記ターゲット周波数リソースの周波数領域位置が同期チャネルの周波数間隔に基づいて決定され、同期チャネルの前記周波数間隔が、物理リソースブロックのあらかじめ定義された周波数帯域幅の2m倍であり、mがあらかじめ設定された負でない整数である、処理ユニットと、
前記処理ユニットによって取得された前記ターゲット周波数リソースに基づいて、基地局からの同期信号を受信するように構成された受信ユニットと、
を含み、
前記ターゲット周波数リソースの前記周波数領域位置が、同期チャネルの前記周波数間隔およびあらかじめ設定された周波数領域位置オフセットに基づいて決定され、
前記ターゲット周波数リソースの前記周波数領域位置が、以下の関係式、
p=offset+n*frequency_interval
を満たし、pが前記ターゲット周波数リソースの前記周波数領域位置であり、offsetが前記周波数領域位置オフセットであり、nがあらかじめ設定された整数であり、frequency_intervalが同期チャネルの前記周波数間隔であり、
nが、システムによって使用される周波数帯域に基づいて決定される整数セット内の整数である、同期信号受信装置。
【請求項２０】
前記システムによって使用される前記周波数帯域と前記周波数領域位置オフセットおよび／または同期チャネルの前記周波数間隔との間に対応関係があり、mの値範囲は前記システムによって使用される前記周波数帯域に基づいて決定される、請求項19に記載の装置。
【請求項２１】
物理リソースブロックの前記あらかじめ定義された周波数帯域幅が、以下の関係式、
【数７】
0006921947.tif 000017
を満たし、FRBが物理リソースブロックの前記周波数帯域幅であり、SCSが、物理リソースブロックのサブキャリア間隔であり、
【数８】
0006921947.tif 000018
が、物理リソースブロックのサブキャリア量である、請求項19または20に記載の装置。
【請求項２２】
物理リソースブロックの前記あらかじめ定義されたサブキャリア間隔が15kHzであり、物理リソースブロックの前記あらかじめ定義されたサブキャリア量が12または16である、請求項21に記載の装置。
【請求項２３】
前記ターゲット周波数リソースの前記周波数領域位置が、前記ターゲット周波数リソースの中心周波数の周波数領域位置、前記ターゲット周波数リソースの開始周波数の周波数領域位置、または前記ターゲット周波数リソースの終了周波数の周波数領域位置を含む、請求項19から22のいずれか一項に記載の装置。
【請求項２４】
物理リソースブロックの前記あらかじめ定義された周波数帯域幅が180kHzである、請求項19から23のいずれか一項に記載の装置。
【請求項２５】
アップリンク制御情報を送信するための装置であって、
実行可能な命令を含む記憶媒体と、
プロセッサと、を含み、
前記実行可能な命令は、前記プロセッサによって実行されるとき、請求項1から6のいずれかに記載の方法を前記装置に実行させる、装置。
【請求項２６】
アップリンク制御情報を受信するための装置であって、
実行可能な命令を含む記憶媒体と、
プロセッサと、を含み、
前記実行可能な命令は、前記プロセッサによって実行されるとき、請求項7から12のいずれかに記載の方法を前記装置に実行させる、装置。
【請求項２７】
プログラムを記録したコンピュータ読み取り可能な記憶媒体であって、前記プログラムは請求項1から6のいずれかに記載の方法をコンピュータに実行させる、コンピュータ読み取り可能な記憶媒体。
【請求項２８】
プログラムを記録したコンピュータ読み取り可能な記憶媒体であって、前記プログラムは請求項7から12のいずれかに記載の方法をコンピュータに実行させる、コンピュータ読み取り可能な記憶媒体。
【請求項２９】
請求項1から6のいずれかに記載の方法をコンピュータに実行させるプログラム。
【請求項３０】
請求項7から12のいずれかに記載の方法をコンピュータに実行させるプログラム。
【発明の詳細な説明】
【技術分野】
【０００１】
この出願は、2016年10月10日に中国特許庁に出願された、発明の名称を「同期信号送信方法および受信方法、ならびに装置」とする中国特許出願第201610884855.4号の優先権を主張し、その全体が参照によりここに組み込まれる。
【０００２】
この出願は、通信分野、詳細には、同期信号送信方法および受信方法、ならびに装置に関する。
【背景技術】
【０００３】
現在、ロング・ターム・エボリューション(Long Term Evolution, LTE)システムにおいて、セル同期およびセル探索のために使用される同期チャネルは、システム帯域幅の中心に配置されている。一例として帯域幅が20MHzのシステムを使用して、同期チャネルの周波数領域位置が図1に表わされている。LTEシステムにおいて、システムにアクセスする前に、UEは同期信号(Synchronization Signal, SS)を探索する必要がある。同期信号が発見された後、UEは、システムの中心周波数の周波数領域位置と、タイミング同期情報と、周波数同期情報とを決定することができる。UEによる同期信号の探索の複雑さを減らすために、LTEプロトコルは、同期チャネルが、周波数領域において100kHzの整数倍である周波数、たとえば、2MHz、2.1MHz、または2.2MHzにおいて配置される必要があることを定義する。100kHzの等間隔は、LTEプロトコルにおける同期チャネルのチャネルラスタ(channel raster)である。
【０００４】
将来の第5世代(The 5th Generation, 5G)モバイル通信システムにおいて、システムは、多重サービス共存またはマルチビーム送信などの要件のために、周波数分割方式で同じ時間リソースにおいて同期信号を送信する必要があり得るとともに、すべての同期信号は、同期チャネルの候補周波数領域位置セットにマッピングされる必要がある。同期チャネルの候補周波数領域位置セットが依然としてLTEにおける100kHzチャネルラスタの設計を使用するならば、100kHzは、5Gシステム内の物理リソースブロック(Physical Resource Block, PRB)によって占有される周波数領域リソースのサイズと一致せず、したがって、システム内の同期信号の物理リソースブロックオーバーヘッドを最小化するように、同期信号のマッピングの間、すべての同期信号がPRBの境界と整列することを確実にする必要がある。この場合、同期信号のための利用可能なマッピング位置は大きく限定され、同期チャネルのチャネルラスタの実際の値はPRBの周波数帯域幅と100kHzの最小公倍数である。PRBが180kHzを占有する例において、同期チャネルのチャネルラスタの実際の値は900kHzであり、同期信号は900kHzのチャネルラスタに基づいて決定される位置にマッピングされる必要がある。これは、同期信号のための利用可能な周波数領域マッピング位置を大きく限定する。
【発明の概要】
【課題を解決するための手段】
【０００５】
この出願の実施形態は、同期信号のための利用可能な周波数領域マッピング位置を増加させるように、同期信号送信方法および受信方法、ならびに装置を提供する。
【０００６】
第1の態様によれば、
ターゲット周波数リソースを決定するステップであって、ターゲット周波数リソースの周波数領域位置が同期チャネルの周波数間隔に基づいて決定され、同期チャネルの周波数間隔が、物理リソースブロックの周波数リソースのあらかじめ定義された周波数帯域幅の2m倍であり、mがあらかじめ設定された負でない整数である、ステップと、
ターゲット周波数リソースを使用することによって同期信号を送信するステップと、
を含む同期信号送信方法が提供される。
【０００７】
同期信号によって占有される周波数リソースの周波数領域位置は、同期チャネルの周波数間隔に基づいて決定され、同期チャネルの周波数間隔は、物理リソースブロックの周波数リソースのあらかじめ定義された周波数帯域幅の2m倍である。これは、同期信号の候補周波数リソースの量を増加させ、それにより同期信号のための利用可能な周波数領域マッピング位置を増加させる利点のためである。
【０００８】
可能な実装において、ターゲット周波数リソースの開始周波数領域位置または終了周波数領域位置は、データチャネルの物理リソースブロックの境界と整列する。
【０００９】
これは、同期信号が余分な物理リソースブロックを占有することを防ぎ、システム内の同期信号の物理リソースブロックオーバーヘッドを減らすことができ、それによりシステムの物理リソースブロック利用を改善する。
【００１０】
可能な実装において、ターゲット周波数リソースの周波数領域位置は、同期チャネルの周波数間隔およびあらかじめ設定された周波数領域位置オフセットに基づいて決定される。
【００１１】
同期信号のための利用可能な周波数領域マッピング位置は、周波数領域位置オフセットの値を柔軟に定義することによってさらに増加されることができる。
【００１２】
可能な実装において、ターゲット周波数リソースの周波数領域位置は、以下の関係式、
p=offset+n*frequency_interval
に従って決定され、ここで、pはターゲット周波数リソースの周波数領域位置であり、offsetは周波数領域位置オフセットであり、nはあらかじめ設定された整数であり、frequency_intervalは同期チャネルの周波数間隔である。
【００１３】
可能な実装において、nは、システムによって使用される周波数帯域に基づいて決定される整数セット内の整数である。
【００１４】
このようにして、同期信号の候補周波数リソースは、システムによって使用される周波数帯域に基づいて柔軟に設定されることができ、それにより同期信号のための利用可能な周波数領域マッピング位置をさらに増加させる。
【００１５】
可能な実装において、システムによって使用される周波数帯域と周波数領域位置オフセットおよび／または同期チャネルの周波数間隔との間に対応関係があり、mの値範囲はシステムによって使用される周波数帯域に基づいて決定される。
【００１６】
このようにして、同期信号の候補周波数リソースは、システムによって使用される周波数帯域に基づいて柔軟に設定されることができ、それにより同期信号のための利用可能な周波数領域マッピング位置をさらに増加させる。
【００１７】
可能な実装において、周波数領域位置オフセットは、0kHz、-7.5kHz、または7.5kHzである。
【００１８】
いくつかの実施形態において、LTEシステムが将来のシステム(たとえば、5Gシステム)と共存することができるように、周波数領域位置オフセットは、-7.5kHzまたは7.5kHzである。
【００１９】
可能な実装において、物理リソースブロックの周波数リソースのあらかじめ設定された周波数帯域幅は、以下の関係式、
【００２０】
【数１】
0006921947.tif 000002
【００２１】
を満たし、ここで、FRBは物理リソースブロックの周波数リソースのあらかじめ定義された周波数帯域幅であり、SCSは、物理リソースブロックのあらかじめ設定されたサブキャリア間隔であり、
【００２２】
【数２】
0006921947.tif 000003
【００２３】
は、物理リソースブロックのあらかじめ定義されたサブキャリア量である。
【００２４】
可能な実装において、物理リソースブロックのあらかじめ定義されたサブキャリア間隔は15kHzであり、物理リソースブロックのあらかじめ定義されたサブキャリア量は12または16である。
【００２５】
可能な実装において、ターゲット周波数リソースの周波数領域位置は、周波数リソースの中心周波数の周波数領域位置、周波数リソースの開始周波数の周波数領域位置、または周波数リソースの終了周波数の周波数領域位置を含む。
【００２６】
第2の態様によれば、
ターゲット周波数リソースを取得するステップであって、ターゲット周波数リソースの周波数領域位置が同期チャネルの周波数間隔に基づいて決定され、同期チャネルの周波数間隔が、物理リソースブロックの周波数リソースのあらかじめ定義された周波数帯域幅の2m倍であり、mがあらかじめ設定された負でない整数である、ステップと、
ターゲット周波数リソースに基づいて、基地局から同期信号を受信するステップと、
を含む同期信号受信方法が提供される。
【００２７】
同期信号によって占有される周波数リソースの周波数領域位置は、同期チャネルの周波数間隔に基づいて決定され、同期チャネルの周波数間隔は、物理リソースブロックの周波数リソースのあらかじめ設定された周波数帯域幅の2m倍である。これは、同期信号の候補周波数リソースの量を増加させ、それにより同期信号のための利用可能な周波数領域マッピング位置を増加させる利点のためである。
【００２８】
可能な実装において、ターゲット周波数リソースの開始周波数領域位置または終了周波数領域位置は、データチャネルの物理リソースブロックの境界と整列する。
【００２９】
これは、同期信号が余分な物理リソースブロックを占有することを防ぎ、システム内の同期信号の物理リソースブロックオーバーヘッドを減らすことができ、それによりシステムの物理リソースブロック利用を改善する。
【００３０】
可能な実装において、ターゲット周波数リソースの周波数領域位置は、同期チャネルの周波数間隔およびあらかじめ設定された周波数領域位置オフセットに基づいて決定される。
【００３１】
同期信号のための利用可能な周波数領域マッピング位置は、周波数領域位置オフセットの値を柔軟に定義することによってさらに増加されることができる。
【００３２】
可能な実装において、ターゲット周波数リソースの周波数領域位置は、以下の関係式、
p=offset+n*frequency_interval
に従って決定され、ここで、pはターゲット周波数リソースの周波数領域位置であり、offsetは周波数領域位置オフセットであり、nはあらかじめ設定された整数であり、frequency_intervalは同期チャネルの周波数間隔である。
【００３３】
可能な実装において、nは、システムによって使用される周波数帯域に基づいて決定される整数セット内の整数である。
【００３４】
このようにして、同期信号の候補周波数リソースは、システムによって使用される周波数帯域に基づいて柔軟に設定されることができ、それにより同期信号のための利用可能な周波数領域マッピング位置をさらに増加させる。
【００３５】
可能な実装において、システムによって使用される周波数帯域と周波数領域位置オフセットおよび／または同期チャネルの周波数間隔との間に対応関係があり、mの値範囲はシステムによって使用される周波数帯域に基づいて決定される。
【００３６】
このようにして、同期信号の候補周波数リソースは、システムによって使用される周波数帯域に基づいて柔軟に設定されることができ、それにより同期信号のための利用可能な周波数領域マッピング位置をさらに増加させる。
【００３７】
可能な実装において、周波数領域位置オフセットは、0kHz、-7.5kHz、または7.5kHzである。
【００３８】
いくつかの実施形態において、LTEシステムが将来のシステム(たとえば、5Gシステム)と共存することができるように、周波数領域位置オフセットは、-7.5kHzまたは7.5kHzである。
【００３９】
可能な実装において、物理リソースブロックの周波数リソースのあらかじめ定義された周波数帯域幅は、以下の関係式、
【００４０】
【数３】
0006921947.tif 000004
【００４１】
を満たし、ここで、FRBは物理リソースブロックの周波数リソースのあらかじめ定義された周波数帯域幅であり、SCSは、物理リソースブロックのあらかじめ定義されたサブキャリア間隔であり、
【００４２】
【数４】
0006921947.tif 000005
【００４３】
は、物理リソースブロックのあらかじめ定義されたサブキャリア量である。
【００４４】
可能な実装において、物理リソースブロックのあらかじめ定義されたサブキャリア間隔は15kHzであり、あらかじめ定義された物理リソースブロックのあらかじめ定義されたサブキャリア量は12または16である。
【００４５】
可能な実装において、ターゲット周波数リソースの周波数領域位置は、周波数リソースの中心周波数の周波数領域位置、周波数リソースの開始周波数の周波数領域位置、または周波数リソースの終了周波数の周波数領域位置を含む。
【００４６】
第3の態様によれば、基地局が提供され、ここで基地局は、第1の態様または第1の態様の上記の可能な実装のいずれか1つによる方法を実装するように構成される。
【００４７】
具体的には、基地局は、第1の態様または第1の態様の可能な実装のいずれか1つによる方法を実行するように構成されたユニットを含み得る。
【００４８】
第4の態様によれば、端末デバイスが提供され、ここで端末デバイスは、第2の態様または第2の態様の上記の可能な実装のいずれか1つによる方法を実装するように構成される。
【００４９】
具体的には、端末デバイスは、第2の態様または第2の態様の可能な実装のいずれか1つによる方法を実行するように構成されたユニットを含み得る。
【００５０】
第5の態様によれば、プロセッサ、送信機、メモリ、およびバスシステムを含む基地局が提供され、ここでプロセッサ、送信機、およびメモリはバスシステムを使用することによって接続され、メモリは命令またはコードを記憶するように構成され、基地局が、第1の態様または第1の態様の可能な実装のいずれか1つによる方法を実行するように、プロセッサは、メモリ内に記憶された命令またはコードを実行するように構成される。
【００５１】
第6の態様によれば、プロセッサ、受信機、メモリ、およびバスシステムを含む端末デバイスが提供され、ここでプロセッサ、受信機、およびメモリはバスシステムを使用することによって接続され、メモリは命令またはコードを記憶するように構成され、端末デバイスが、第2の態様または第2の態様の可能な実装のいずれか1つによる方法を実行するように、プロセッサは、メモリ内に記憶された命令またはコードを実行するように構成される。
【００５２】
第7の態様によれば、コンピュータ読み取り可能な記憶媒体が提供され、ここでコンピュータ読み取り可能な記憶媒体はプログラムを記憶し、プログラムは、基地局が、第1の態様または第1の態様の可能な実装のいずれか1つによる方法を実行することを可能にする。
【００５３】
第8の態様によれば、コンピュータ読み取り可能な記憶媒体が提供され、ここでコンピュータ読み取り可能な記憶媒体はプログラムを記憶し、プログラムは、端末デバイスが、第2の態様または第2の態様の可能な実装のいずれか1つによる方法を実行することを可能にする。
【図面の簡単な説明】
【００５４】
【図１】20MHzシステムにおける同期チャネルの周波数領域位置の概略図である。
【図２】この出願の実施形態による同期信号送信方法の概略フローチャートである。
【図３】同期信号の周波数領域マッピング位置の概略図である。
【図４】同期信号の周波数領域マッピング位置の別の概略図である。
【図５】この出願の実施形態による同期信号受信方法の概略フローチャートである。
【図６】この出願の実施形態による基地局の概略構造図である。
【図７】この出願の別の実施形態による基地局の概略構造図である。
【図８】この出願の実施形態による端末デバイスの概略構造図である。
【図９】この出願の別の実施形態による端末デバイスの概略構造図である。
【発明を実施するための形態】
【００５５】
以下は、この出願の実施形態の添付図面を参照して、この出願の実施形態における技術的解決策を説明する。
【００５６】
この出願の技術的解決策は、様々な通信システム、たとえば、ワイヤレス・フィデリティ(WiFi)、ワールドワイド・インターオペラビリティ・フォー・マイクロウェーブ・アクセス(Worldwide Interoperability for Microwave Access, WiMAX)、グローバル・システム・フォー・モバイル・コミュニケーションズ(Global System for Mobile Communications, GSM(登録商標))、符号分割多元接続(Code Division Multiple Access, CDMA)システム、広帯域符号分割多元接続(Wideband Code Division Multiple Access, WCDMA(登録商標))システム、汎用パケット無線サービス(General Packet Radio Service, GPRS)、ロング・ターム・エボリューション(Long Term Evolution, LTE)システム、アドバンスト・ロング・ターム・エボリューション(Advanced Long Term Evolution, LTE-A)システム、ユニバーサル・モバイル・テレコミュニケーションズ・システム(Universal Mobile Telecommunications System, UMTS)、および第3世代パートナーシップ・プロジェクト(the 3rd Generation Partnership Project, 3GPP)に関連するセルラーシステムに適用され得ることが理解されるべきである。この出願の実施形態は限定を設定しない。しかしながら、説明の容易さのために、この出願の実施形態において、説明のための例としてLTEネットワークが使用される。
【００５７】
この出願の実施形態は、異なる標準のワイヤレスネットワークのために使用され得る。異なるシステムにおける無線アクセスネットワークは、異なるネットワーク要素を含み得る。たとえば、ロング・ターム・エボリューション(Long Term Evolution, LTE)およびLTE-Aの無線アクセスネットワークは、発展型NodeB(eNodeB, eNB)を含み、広帯域符号分割多元接続(Wideband Code Division Multiple Access, WCDMA(登録商標))の無線アクセスネットワークは、無線ネットワークコントローラ(Radio Network Controller, RNC)およびNodeBを含む。同様に、ワールドワイド・インターオペラビリティ・フォー・マイクロウェーブ・アクセス(Worldwide Interoperability for Microwave Access, WiMax)などの他のワイヤレスネットワークは、また、基地局システム内の関連するモジュールが変わり得ることを除いて、この出願の実施形態と同様の解決策を使用し得る。この出願の実施形態は限定を設定しない。しかしながら、説明の容易さのために、以下の実施形態において、説明のための例として基地局が使用される。
【００５８】
この出願の実施形態において、端末デバイスは、ユーザ機器(User Equipment, UE)、移動局(Mobile Station, MS)、モバイル端末(Mobile Terminal)、または同様のものとも呼ばれることがさらに理解されるべきである。端末は、無線アクセスネットワーク(Radio Access Network, RAN)を介して1つ以上のコアネットワークと通信し得る。たとえば、端末は、モバイルホン(または、「セルラー」ホンと呼ばれる)、通信機能を有するコンピュータ、または同様のものであってもよい。たとえば、端末は、また、持ち運びできる、ポケットサイズの、手で持てる、コンピュータ内蔵の、または車載のモバイル装置であってもよい。
【００５９】
同期チャネルの周波数間隔は、2つの同期チャネルの中心周波数間の周波数間隔であってもよく、2つの同期チャネルの開始周波数間の周波数間隔であってもよく、または2つの同期チャネルの終了周波数間の周波数間隔であってもよいことが留意されるべきである。
【００６０】
図2は、この出願の実施形態による同期信号送信方法200の概略フローチャートである。方法200は基地局によって実行され得ることが理解されるべきである。図2に表わされるように、方法200は以下の内容を含む。
【００６１】
210.ターゲット周波数リソースを決定し、ここでターゲット周波数リソースの周波数領域位置が同期チャネルの周波数間隔に基づいて決定され、同期チャネルの周波数間隔が、物理リソースブロック内の周波数リソースのあらかじめ定義された周波数帯域幅の2m倍であり、mがあらかじめ設定された負でない整数である。
【００６２】
任意選択で、基地局は、同期チャネル周波数リソースセットから1つ以上の周波数リソースをターゲット周波数リソースとして選択し得る。
【００６３】
いくつかの実施形態において、同期チャネル周波数リソースセット内の少なくとも2つの周波数リソースの間隔は、同期チャネルの周波数間隔の整数倍である。
【００６４】
いくつかの実施形態において、同期信号周波数リソースセットは複数の周波数リソースを含み得る。この出願のこの実施形態において定義された同期チャネルの周波数間隔に基づいて、複数の周波数リソースにおける少なくとも1つの周波数リソースの周波数領域位置が決定される。その代わりに、複数の周波数リソースにおける他の周波数リソースの周波数領域位置は、他のあらかじめ設定された規則に従って定義され得る。この出願のこの実施形態は、それへの限定を設定しない。
【００６５】
たとえば、その代わりに、周波数リソースセットにおけるいくつかの周波数リソースの周波数領域位置は、先行技術における同期チャネルの周波数間隔に基づいて決定され得る。たとえば、LTEプロトコルは、同期チャネルが、周波数領域において100kHzの整数倍である周波数、たとえば、2MHz、2.1MHz、または2.2MHzにおいて配置される必要があることを定義する。
【００６６】
いくつかの実施形態において、ターゲット周波数リソースが1つ以上の周波数リソースを含むならば、1つ以上の周波数リソースは、この出願のこの実施形態において定義される同期チャネルの周波数間隔に基づいて決定されてもよく、または別のあらかじめ設定された規則に従って決定されてもよい。
【００６７】
220.ターゲット周波数リソースを使用することによって同期信号を送信する。
【００６８】
この出願のこの実施形態において、ターゲット周波数リソースは同期チャネルの周波数間隔に基づいて決定され、同期チャネルの周波数間隔は、物理リソースブロックの周波数リソースのあらかじめ定義された周波数帯域幅の2m倍である。たとえば、物理リソースブロックの周波数リソースのあらかじめ定義された周波数帯域幅は180kHzであり、m=0である。そして、同期チャネルの周波数間隔の値は180kHzである。明らかに、この出願のこの実施形態は、同期信号の候補周波数リソースの量を増加させるために有利である。
【００６９】
したがって、この出願のこの実施形態において、同期信号によって占有される周波数リソースの周波数領域位置は、同期チャネルの周波数間隔に基づいて決定され、同期チャネルの周波数間隔は、物理リソースブロックの周波数リソースのあらかじめ定義された周波数帯域幅の2m倍である。これは、同期信号の候補周波数リソースの量を増加させ、それにより同期信号のための周波数領域マッピング位置の利用可能性を増加させる利点のためである。
【００７０】
任意選択で、ターゲット周波数リソースの開始周波数領域位置または終了周波数領域位置は、データチャネルの物理リソースブロックの境界と整列する。これは、同期信号が余分な物理リソースブロックを占有することを防ぎ、システム内の同期信号の物理リソースブロックオーバーヘッドを減らすことができ、それによりシステムの物理リソースブロック利用を改善する。
【００７１】
図3に表わされるように、同期信号の周波数リソースの開始周波数領域位置がデータチャネルの物理リソースブロック6の境界と整列しないならば、同期信号は、インデックスが6から12である物理リソースブロックを占有する。図4に表わされるように、同期信号の周波数リソースの開始周波数領域位置がデータチャネルの物理リソースブロック7の境界と整列するならば、同じ同期信号は、インデックスが7から12である物理リソースブロックを占有する。明らかに、周波数リソースの開始周波数領域位置をデータチャネルの物理リソースブロックの境界と整列することは、余分な物理リソースブロックの占有を防ぐことができる。同様に、同じ効果は、また、周波数リソースの終了周波数領域位置をデータチャネルの物理リソースブロックの境界と整列することによって達成されることができる。詳細は再度ここで説明されない。
【００７２】
いくつかの実施形態において、あらかじめ定義された物理リソースブロックはデータチャネルの物理リソースブロックと同じであり得る。いくつかの他の実施形態において、その代わりに、あらかじめ定義された物理リソースブロックはデータチャネルの物理リソースブロックとは異なり得る。この出願のこの実施形態は、それへの限定を設定しない。
【００７３】
いくつかの実施形態において、同期チャネルの周波数間隔は以下の関係式、raster=FRB*2mを満たし、ここで、FRBは、物理リソースブロックの周波数リソースのあらかじめ定義された周波数帯域幅である。
【００７４】
任意選択で、mの値範囲とシステムによって使用される周波数帯域との間に対応関係がある。たとえば、システムによって使用される複数の周波数帯域はmの同じ値範囲に対応し、システムによって使用される各周波数帯域はmの1つの値範囲に対応し、またはシステムによって使用される各周波数帯域はmの複数の値範囲に対応する。同期信号を送信する前に、基地局は、ターゲット周波数リソースを決定するように、mの値範囲から、決定された値を選択し得る。
【００７５】
システムによって使用される周波数帯域は、2G周波数帯域、3G周波数帯域、4G周波数帯域、5G周波数帯域、または同様のものであり得る。この出願のこの実施形態は、それへの限定を設定しない。
【００７６】
この出願のこの実施形態において、物理リソースブロックの周波数リソースのあらかじめ定義された周波数帯域幅は、あらかじめ定義されたサブキャリア間隔および少なくとも1つのあらかじめ定義されたサブキャリアによって決定される。
【００７７】
たとえば、物理リソースブロックの周波数リソースのあらかじめ定義された周波数帯域幅は、以下の関係式、
【００７８】
【数５】
0006921947.tif 000006
【００７９】
を満たし、ここで、FRBは、物理リソースブロックの周波数リソースのあらかじめ定義された周波数帯域幅であり、SCSは、物理リソースブロックのあらかじめ定義されたサブキャリア間隔であり、
【００８０】
【数６】
0006921947.tif 000007
【００８１】
は、物理リソースブロックのあらかじめ定義されたサブキャリア量である。
【００８２】
言い換えれば、この出願のこの実施形態におけるあらかじめ定義された物理リソースブロックは、周波数領域における
【００８３】
【数７】
0006921947.tif 000008
【００８４】
個のサブキャリアからなる。
【００８５】
いくつかの実施形態において、物理リソースブロックのあらかじめ定義されたサブキャリア間隔は15kHzであり、物理リソースブロックのあらかじめ定義されたサブキャリア量は12または16である。それに対応して、物理リソースブロックの周波数リソースのあらかじめ定義された周波数帯域幅は180kHzまたは240kHzである。
【００８６】
物理リソースブロックのあらかじめ定義されたサブキャリア間隔およびあらかじめ定義されたサブキャリア量は、その代わりに別の値であり得ることが理解されるべきである。この出願のこの実施形態は、それへの限定を設定しない。
【００８７】
たとえば、物理リソースブロックのあらかじめ定義されたサブキャリア間隔は、その代わりに30kHz、60kHz、または同様のものであってもよい。
【００８８】
この出願のこの実施形態におけるあらかじめ定義された物理リソースブロックと将来のシステムにおける物理リソースブロックは、同じであってもよく、または異なってもよいことが留意されるべきである。
【００８９】
たとえば、将来のシステム(5Gシステムなど)において、複数のサブキャリア間隔がサポートされ得る。システムが同じ時間リソースにおいて1つのサブキャリア間隔を可能にするとき、同期チャネルの周波数間隔の値は、サブキャリア間隔に基づいて決定された、物理リソースブロックの周波数帯域幅であり得る。言い換えれば、そのようなシステムにおいて、mは一意の値を有する。システムが周波数分割多重化のために同じ時間リソース内の複数のサブキャリア間隔を可能にするとき、異なるサブキャリア間隔の範囲にマッピングされる同期チャネルの周波数間隔は、現在のマッピング範囲における1つのPRBの周波数帯域幅である。そのようなシステムにおいて、mの値は一意ではない。
【００９０】
以下は、説明のために1つの物理リソースブロックが12個のサブキャリアを含む例を使用する。たとえば、システムは、同じ時間リソース内で15kHzと30kHzのサブキャリア間隔を可能にする。そして、15kHzサブキャリア間隔の範囲にマッピングされる同期チャネルの周波数間隔は180kHzであってもよく(ここでmの対応する値は0である)、30kHzサブキャリア間隔の範囲にマッピングされる同期チャネルの周波数間隔は360kHzであってもよい(ここでmの対応する値は1である)。
【００９１】
任意選択で、ターゲット周波数リソースの周波数領域位置は、同期チャネルの周波数間隔およびあらかじめ設定された周波数領域位置オフセットに基づいて決定される。
【００９２】
周波数領域位置オフセットの値を柔軟に定義することによって、同期信号のための利用可能な周波数領域マッピング位置がさらに増加されることができる。
【００９３】
任意選択で、ターゲット周波数リソースの周波数領域位置は、以下の関係式、
p=offset+n*frequency_interval
に従って決定され、ここで、pはターゲット周波数リソースの周波数領域位置であり、offsetは周波数領域位置オフセットであり、nはあらかじめ設定された整数であり、frequency_intervalは同期チャネルの周波数間隔である。
【００９４】
任意選択で、周波数領域位置オフセットは、0kHz、-7.5kHz、または7.5kHzであってもよい。
【００９５】
たとえば、5GシステムがLTEシステムとともに同じ周波数帯域において連続的に配備されないとき、LTEとの共存の影響は5Gシステムについて考慮されなくてもよく、周波数領域位置オフセットの値は0kHzであってもよい。その代わりに、周波数領域位置オフセットは、他の配備の柔軟性の考慮のために他のあらかじめ定義された値であってもよい。
【００９６】
5GシステムとLTEシステムの間で連続したキャリアアグリゲーションが実行されるとき、5GシステムにおいてLTEシステムとのサブキャリア直交性が考慮される必要がある。LTEシステムの設計において、ブランクサブキャリアは周波数帯域の中心において確保される。システム周波数帯域の中心は、実際には、ブランクサブキャリアの中心において配置されている。したがって、LTEシステムのすべてのサブキャリアの境界は(n×100kHz±7.5kHz)にある。LTEとLTEの連続したキャリアアグリゲーションの間、両方のキャリアは7.5kHzのオフセットを有する。したがって、同期チャネルの周波数間隔が(100kHzの最小公倍数および15kHzのサブキャリア間隔である)300kHzを満たすという条件で、サブキャリア直交性が実装されることができる。しかしながら、5Gシステムにおいて、ブランクサブキャリアの予約はキャンセルされる。したがって、5GシステムとLTEシステムの間の連続したキャリアアグリゲーションの間、7.5kHzのオフセットが加えて補償される必要がある。7.5kHzのオフセットが補償された後、LTEシステムの同期チャネルの周波数間隔は300kHzの条件を満たす。加えて、この出願のこの実施形態において、同期チャネルのすべての周波数間隔は15kHzの整数倍である。したがって、これは、5GシステムとLTEシステムの間のサブキャリア直交性を確実にすることができる。
【００９７】
したがって、-7.5kHzまたは7.5kHzの周波数領域位置オフセットは、LTEシステムが将来のシステム(たとえば、5Gシステム)と共存することを可能にする。
【００９８】
任意選択で、nの値範囲とシステムによって使用される周波数帯域との間に対応関係がある。たとえば、少なくとも1つの整数セットは、システムによって使用される周波数帯域に基づいて決定され得る。同期信号を送信する前に、基地局は、nの値として、システムによって現在使用されている周波数帯域に対応する整数セットからの整数を選択し得る。言い換えれば、nは、システムによって使用される周波数帯域に基づいて決定される整数セット内の整数である。
【００９９】
このようにして、同期信号の候補周波数リソースは、システムによって使用される周波数帯域に基づいて柔軟に設定されることができ、同期信号のための利用可能な周波数領域マッピング位置をさらに増加させる。
【０１００】
任意選択で、周波数領域位置オフセットとシステムによって使用される周波数帯域との間に対応関係がある。たとえば、システムによって使用される複数の周波数帯域は、同じ周波数領域位置オフセットに対応し、システムによって使用される各周波数帯域は、1つの周波数領域位置オフセットに対応し、またはシステムによって使用される各周波数帯域は複数の周波数領域位置オフセットに対応し、同期信号を送信する前に、基地局は、ターゲット周波数リソースを決定するために、複数の周波数領域位置オフセットから1つの周波数領域位置オフセットを選択し得る。
【０１０１】
任意選択で、同期チャネルの周波数間隔とシステムによって使用される周波数帯域との間に対応関係がある。たとえば、システムによって使用される複数の周波数帯域は、同期チャネルの同じ周波数間隔に対応し、システムによって使用される各周波数帯域は、同期チャネルの1つの周波数間隔に対応し、またはシステムによって使用される各周波数帯域は同期チャネルの複数の周波数間隔に対応し、同期信号を送信する前に、基地局は、ターゲット周波数リソースを決定するために、同期チャネルの複数の周波数間隔から同期チャネルの1つの周波数間隔を選択し得る。
【０１０２】
いくつかの実施形態において、周波数領域位置オフセットと同期チャネルの周波数間隔との間に関連付け関係がなくてもよい。たとえば、周波数領域位置オフセットとシステムによって使用される周波数帯域との間の対応関係は、同期チャネルの周波数間隔とシステムによって使用される周波数帯域との間の対応関係に影響を及ぼさない。たとえば、システムによって使用される2G周波数帯および3G周波数帯は、それぞれ異なる周波数領域位置オフセットに対応するが、同期チャネルの同じ周波数間隔に対応する。
【０１０３】
いくつかの実施形態において、システムによって使用される周波数帯域と、周波数領域位置オフセットおよび同期チャネルの周波数間隔の両方との間に対応関係があってもよい。たとえば、システムによって使用される4G周波数帯域は、同期チャネルの第1の周波数領域位置オフセットおよび第1の周波数間隔に対応し、システムによって使用される3G周波数帯域は、同期チャネルの第2の周波数領域位置オフセットおよび第2の周波数間隔に対応し、ここで第1の周波数領域位置オフセットは第2の周波数領域位置オフセットとは異なり、同期チャネルの第1の周波数間隔は同期チャネルの第2の周波数間隔とは異なる。
【０１０４】
任意選択で、ターゲット周波数リソースの周波数領域位置は、ターゲット周波数リソースの中心周波数の周波数領域位置を含む。
【０１０５】
ターゲット周波数リソースの周波数領域位置は、ターゲット周波数リソースの開始周波数の周波数領域位置、またはターゲット周波数リソースの終了周波数の周波数領域位置をさらに含んでもよいことが理解されるべきである。この出願のこの実施形態は、それへの限定を設定しない。
【０１０６】
この出願のこの実施形態において、周波数リソースの周波数領域位置は、周波数リソースに対応する周波数を使用することによって示されてもよく、または周波数リソースに対応する番号またはインデックスを使用することによって示されてもよい。
【０１０７】
図5は、この出願の別の実施形態による同期信号検出方法400の概略フローチャートである。方法400は端末デバイスによって実行され得ることが理解されるべきである。方法400は方法200に対応し、対応する内容はここで適宜省略される。図5に表わされるように、方法400は以下の内容を含む。
【０１０８】
410.ターゲット周波数リソースを取得し、ここでターゲット周波数リソースの周波数領域位置が同期チャネルの周波数間隔に基づいて決定され、同期チャネルの周波数間隔が、物理リソースブロックの周波数リソースのあらかじめ定義された周波数帯域幅の2m倍であり、mがあらかじめ設定された負でない整数である。
【０１０９】
任意選択で、ターゲット周波数リソースは、同期信号のあらかじめ構成された周波数リソースセットから取得され得る。
【０１１０】
同期信号の周波数リソースセットは、あらかじめ定義された方式で端末デバイス内にあらかじめ構成されてもよく、または基地局によって端末デバイス内にあらかじめ構成されてもよいことが理解されるべきである。
【０１１１】
たとえば、端末デバイスが同期信号の周波数リソースセットを取得することは、以下を含み得る。端末デバイスは、基地局からリソース構成情報を受信し、基地局によって送信された、同期信号のリソース構成情報に基づいて、同期信号のリソース構成セットを取得する。
【０１１２】
420.ターゲット周波数リソースに基づいて、基地局から同期信号を受信する。
【０１１３】
たとえば、システムにアクセスする前に、端末デバイスは、まず同期信号の周波数リソースセットを取得する。端末デバイスは、同期信号を送信するために基地局によって使用される周波数リソースセット内の具体的な周波数リソースの知識を有することができない。したがって、端末デバイスは、ターゲット周波数リソースを使用することによって基地局から同期信号を受信するまで、同期信号の周波数リソースセットに基づいて、基地局によって送信された同期信号のブラインド検出を実行する。
【０１１４】
この出願のこの実施形態において、同期信号によって占有される周波数リソースの周波数領域位置は、同期チャネルの周波数間隔に基づいて決定され、同期チャネルの周波数間隔は、物理リソースブロックの周波数リソースのあらかじめ定義された周波数帯域幅の2m倍である。これは、同期信号の候補周波数リソースの量を増加させ、それにより同期信号のための利用可能な周波数領域マッピング位置を増加させるために有利である。
【０１１５】
任意選択で、ターゲット周波数リソースの開始周波数領域位置または終了周波数領域位置は、あらかじめ定義された物理リソースブロックの境界と整列する。
【０１１６】
任意選択で、ターゲット周波数リソースの周波数領域位置は、同期チャネルの周波数間隔およびあらかじめ設定された周波数領域位置オフセットに基づいて決定される。
【０１１７】
任意選択で、システムによって使用される周波数帯域と周波数領域位置オフセットおよび／または同期チャネルの周波数間隔との間に対応関係があり、mの値範囲はシステムによって使用される周波数帯域に基づいて決定される。
【０１１８】
任意選択で、ターゲット周波数リソースの周波数領域位置は、以下の関係、
p=offset+n*frequency_interval
に基づいて決定され、ここで、pはターゲット周波数リソースの周波数領域位置であり、offsetは周波数領域位置オフセットであり、nはあらかじめ設定された整数であり、frequency_intervalは同期チャネルの周波数間隔である。
【０１１９】
任意選択で、nは、システムによって使用される周波数帯域に基づいて決定される整数セット内の整数である。
【０１２０】
任意選択で、物理リソースブロックの周波数リソースのあらかじめ定義された周波数帯域幅は、以下の関係式、
【０１２１】
【数８】
0006921947.tif 000009
【０１２２】
を満たし、ここで、FRBは、物理リソースブロックの周波数リソースのあらかじめ定義された周波数帯域幅であり、SCSは、物理リソースブロックのあらかじめ定義されたサブキャリア間隔であり、
【０１２３】
【数９】
0006921947.tif 000010
【０１２４】
は、物理リソースブロックのあらかじめ定義されたサブキャリア量である。
【０１２５】
任意選択で、物理リソースブロックのあらかじめ定義されたサブキャリア間隔は15kHzであり、あらかじめ定義された物理リソースブロックのあらかじめ定義されたサブキャリア量は12または16である。
【０１２６】
任意選択で、周波数領域位置オフセットは、0kHz、-7.5kHz、または7.5kHzである。
【０１２７】
-7.5kHzまたは7.5kHzの周波数領域位置オフセットは、LTEシステムが将来のシステム(たとえば、5Gシステム)と共存することを可能にする。
【０１２８】
任意選択で、ターゲット周波数リソースの周波数領域位置は、ターゲット周波数リソースの中心周波数の周波数領域位置、ターゲット周波数リソースの開始周波数の周波数領域位置、またはターゲット周波数リソースの終了周波数の周波数領域位置を含む。
【０１２９】
上記は、この出願の実施形態による同期信号送信方法および受信方法を説明している。以下は、図6から図9を参照して、この出願の実施形態による基地局および端末デバイスを説明する。
【０１３０】
図6は、この出願の実施形態による基地局500の概略構造図である。図6に表わされるように、基地局500は、処理ユニット510および送信ユニット520を含む。
【０１３１】
処理ユニット510は、ターゲット周波数リソースを決定するように構成され、ここでターゲット周波数リソースの周波数領域位置が同期チャネルの周波数間隔に基づいて決定され、同期チャネルの周波数間隔が、物理リソースブロックの周波数リソースのあらかじめ定義された周波数帯域幅の2m倍であり、mがあらかじめ設定された負でない整数である。
【０１３２】
送信ユニット520は、処理ユニット510によって決定されたターゲット周波数リソースを使用することによって同期信号を送信するように構成される。
【０１３３】
この出願のこの実施形態において、同期信号によって占有される周波数リソースの周波数領域位置は、同期チャネルの周波数間隔に基づいて決定され、同期チャネルの周波数間隔は、物理リソースブロックの周波数リソースのあらかじめ定義された周波数帯域幅の2m倍である。これは、同期信号の候補周波数リソースの量を増加させ、それにより同期信号のための利用可能な周波数領域マッピング位置を増加させる利点のためである。
【０１３４】
この出願のこの実施形態による基地局500は、この出願の実施形態による同期信号送信方法200における基地局に対応し得るとともに、基地局500におけるユニットの上記のおよび他の動作および／または機能は、それぞれ、図2に表わされる方法200における対応するプロセスを実装するように意図されることが理解されるべきである。簡潔さのために、詳細は再度ここで説明されない。
【０１３５】
処理ユニット510はプロセッサを使用することによって実装されてもよく、送信ユニット520は送信機を使用することによって実装されてもよいことが留意されるべきである。図7は、この出願の実施形態による基地局600の概略構造図である。図7に表わされるように、基地局600は、プロセッサ610、送信機620、メモリ630、およびバスシステム640を含む。プロセッサ610、送信機620、およびメモリ630は、バスシステム640を使用することによって接続される。メモリ630は、プロセッサ610によって実行されるコードまたは同様のものを記憶するように構成され得る。送信機620は、プロセッサ610の制御下で信号を送信するように構成される。
【０１３６】
この出願のこの実施形態による基地局600は、この出願の実施形態による同期信号送信方法200における基地局、およびこの出願の実施形態による基地局500に対応し得るとともに、基地局600におけるユニットの上記のおよび他の動作および／または機能は、それぞれ、図2に表わされる方法200における対応するプロセスを実装するように意図されることが理解されるべきである。簡潔さのために、詳細は再度ここで説明されない。
【０１３７】
図8は、この出願の実施形態による端末デバイス700の概略構造図である。図8に表わされるように、端末デバイス700は、処理ユニット710および受信ユニット720を含む。
【０１３８】
処理ユニット710は、ターゲット周波数リソースを取得するように構成され、ここでターゲット周波数リソースの周波数領域位置が同期チャネルの周波数間隔に基づいて決定され、同期チャネルの周波数間隔が、あらかじめ定義された物理リソースブロック内の周波数リソースの周波数帯域幅の2m倍であり、mがあらかじめ設定された負でない整数である。
【０１３９】
受信ユニット720は、処理ユニット710によって取得されたターゲット周波数リソースに基づいて、基地局から同期信号を受信するように構成される。
【０１４０】
この出願のこの実施形態において、同期信号によって占有される周波数リソースの周波数領域位置は、同期チャネルの周波数間隔に基づいて決定され、同期チャネルの周波数間隔は、あらかじめ定義された物理リソースブロック内の周波数リソースの周波数帯域幅の2m倍である。これは、同期信号の候補周波数リソースの量を増加させ、それにより同期信号のための利用可能な周波数領域マッピング位置を増加させるために有利である。
【０１４１】
この出願のこの実施形態による端末デバイス700は、この出願の実施形態による同期信号受信方法400における端末デバイスに対応し得るとともに、端末デバイス700におけるユニットの上記のおよび他の動作および／または機能は、それぞれ、図5に表わされる方法400における対応するプロセスを実装するように意図されることが理解されるべきである。簡潔さのために、詳細は再度ここで説明されない。
【０１４２】
処理ユニット710はプロセッサを使用することによって実装されてもよく、受信ユニット720は受信機を使用することによって実装されてもよいことが留意されるべきである。図9は、この出願の別の実施形態による端末デバイス800の概略構造図である。図9に表わされるように、端末デバイス800は、プロセッサ810、受信機820、メモリ830、およびバスシステム840を含む。プロセッサ810、受信機820、およびメモリ830は、バスシステム840を使用することによって接続される。メモリ830は、プロセッサ810によって実行されるコードまたは同様のものを記憶するように構成され得る。受信機820は、プロセッサ810の制御下で信号を受信するように構成される。
【０１４３】
この出願のこの実施形態による端末デバイス800は、この出願の実施形態による同期信号受信方法400における端末デバイス、およびこの出願の実施形態による端末デバイス700に対応し得るとともに、端末デバイス800におけるユニットの上記のおよび他の動作および／または機能は、それぞれ、図5に表わされる方法400における対応するプロセスを実装するように意図されることが理解されるべきである。簡潔さのために、詳細は再度ここで説明されない。
【０１４４】
上記の実施形態において、データバスを含むことに加えて、バスシステムは、電力バス、制御バス、およびステータス信号バスをさらに含み得ることが留意されるべきである。表現の容易さのために、様々なバスは、図面においてバスシステムとして一様に表記される。
【０１４５】
上記の実施形態におけるメモリは、揮発性メモリ(volatile memory)、たとえばランダムアクセスメモリ(random access memory, RAM)を含み得る。メモリは、また、非一時的メモリ(non-transitory memory)、たとえば、フラッシュメモリ(flash memory)、ハードディスクドライブ(hard disk drive, HDD)、またはソリッドステートドライブ(solid-state drive, SSD)を含み得る。メモリは、上記のタイプのメモリの組合せをさらに含み得る。
【０１４６】
上記の実施形態におけるプロセッサは、中央処理ユニット(central processing unit, CPU)、ネットワークプロセッサ(NP)、またはCPUとNPの組合せであり得る。プロセッサはハードウェアチップをさらに含み得る。上記のハードウェアチップは、特定用途向け集積回路(application-specific integrated circuit, ASIC)、プログラマブル・ロジック・デバイス(programmable logic device, PLD)、またはそれらの組合せであり得る。上記のPLDは、複合プログラマブル・ロジック・デバイス(complex programmable logic device, CPLD)、フィールド・プログラマブル・ゲート・アレイ(field-programmable gate array, FPGA)、ジェネリック・アレイ・ロジック(generic array logic, GAL)、またはそれらの任意の組合せであり得る。
【０１４７】
この技術分野の当業者は、この明細書において開示された実施形態を参照して説明された例におけるユニットおよびアルゴリズムのステップは、電子ハードウェア、またはコンピュータソフトウェアと電子ハードウェアの組合せによって実装され得ることを認識し得る。機能がハードウェアによって実行されるか、またはソフトウェアによって実行されるかは、特定の用途および技術的解決策の設計制約条件に依存する。この技術分野の当業者は、各々の特定の用途について、説明された機能を実装するために異なる方法を使用し得るが、その実装がこの出願の範囲を超えていると考えられるべきではない。
【０１４８】
便利で簡単な説明の目的のために、システム、装置、およびユニットの詳細な作動プロセスについて、方法の実施形態における対応するプロセスを参照することが、この技術分野の当業者によって明確に理解され得る。詳細は再度ここで説明されない。
【０１４９】
この出願において提供されるいくつかの実施形態において、開示されたシステム、装置、および方法は他の方式で実装され得ることが理解されるべきである。たとえば、説明された装置の実施形態は単なる例である。たとえば、ユニットの区分は単なる論理的機能区分であり、実際の実装においては他の区分であってもよい。たとえば、複数のユニットまたは構成要素が組み合わされ、または別のシステムに統合されてもよく、またはいくつかの機能が無視され、または実行されなくてもよい。加えて、表示され、または論じられた相互結合または直接結合または通信接続は、いくつかのインターフェースを使用することによって実装され得る。装置またはユニット間の間接結合または通信接続は、電気的、機械的、または他の形式で実装され得る。
【０１５０】
別個の部分として説明されたユニットは、物理的に別個であっても、または物理的に別個でなくてもよく、ユニットとして表示された部分は、物理的ユニットであっても、または物理的ユニットでなくてもよく、１つの位置に配置されてもよく、または複数のネットワークユニットにおいて分散されてもよい。実施形態の解決策の目的を達成するための実際の必要性に基づいて、ユニットのいくつかまたはすべてが選択され得る。
【０１５１】
加えて、この出願の実施形態における機能ユニットは、1つの処理ユニットに統合されてもよく、またはユニットの各々が物理的に単独で存在してもよく、または2つ以上のユニットが1つのユニットに統合される。
【０１５２】
機能がソフトウェア機能ユニットの形式で実装され、独立した製品として販売または使用されるとき、機能はコンピュータ読み取り可能な記憶媒体に記憶されてもよい。そのような理解に基づいて、本質的にこの出願の技術的解決策、または先行技術に寄与する部分、または技術的解決策のいくつかは、ソフトウェア製品の形式で実装され得る。コンピュータソフトウェア製品は記憶媒体に記憶され、(パーソナルコンピュータ、サーバ、ネットワークデバイスまたは同様のものであり得る)コンピュータデバイスに、この出願の実施形態において説明された方法のステップのすべてまたはいくつかを実行するように命令するためのいくつかの命令を含む。上記の記憶媒体は、USBフラッシュドライブ、リムーバブルハードディスク、リードオンリメモリ(Read-Only Memory, ROM)、ランダムアクセスメモリ(Random Access Memory, RAM)、磁気ディスク、または光ディスクなどの、プログラムコードを記憶することができる任意の媒体を含む。
【０１５３】
説明は、この出願の単なる具体的な実装であるが、この出願の保護範囲を限定するように意図されない。この出願において開示された技術的範囲内で、この技術分野の当業者によって容易に考え出される任意の変形または置換は、この出願の保護範囲内にあるものである。したがって、この出願の保護範囲は、特許請求の範囲の保護範囲に従うものである。
【符号の説明】
【０１５４】
200  同期信号送信方法
400  同期信号検出方法
500  基地局
510  処理ユニット
520  送信ユニット
600  基地局
610  プロセッサ
620  送信機
630  メモリ
640  バスシステム
700  端末デバイス
710  処理ユニット
720  受信ユニット
800  端末デバイス
810  プロセッサ
820  受信機
830  メモリ
840  バスシステム
【図１】
0006921947.tif 000019
【図２】
0006921947.tif 000020
【図３】
0006921947.tif 000021
【図４】
0006921947.tif 000022
【図５】
0006921947.tif 000023
【図６】
0006921947.tif 000024
【図７】
0006921947.tif 000025
【図８】
0006921947.tif 000026
【図９】
0006921947.tif 000027